(57)【特許請求の範囲】
【請求項１】
滅菌槽１と、
被滅菌物を載せる運搬車本体６と、車輪として機能する作動位置と前記滅菌槽１内へ収容するときの折畳み位置との間で折畳み可能に構成され前記運搬車本体６の下面に前後に設けられる車輪部分７，７とを有する運搬車５と、
前記各車輪部分７，７を前記作動位置に保持するための保持手段１０，１０と、
前記運搬車６を前記滅菌槽１内へ収容するとき、前記各車輪部分７，７を前記作動位置に保持した状態を解除する保持状態解除手段と、
前記滅菌槽１内の両側壁に設けられ、前記運搬車本体６を前記滅菌槽１内で支持する支持手段９，９とを備え、
前記運搬車５を前記滅菌槽１内へ収容するとき前記保持状態解除手段により前記保持手段１０，１０による保持を解除して前記車輪部分７，７を前記折畳み位置へ移動させ、前記運搬車５を前記滅菌槽１から取り出すとき、前記車輪部分７，７を前記作動位置へ移動させるように構成した滅菌装置における運搬車収容装置であって、
前記滅菌槽１の開口部２の外側に前記運搬車本体６を支持する支持部材２４を設け、
前記支持部材２４には、高さ位置が前記支持手段とほぼ同じ高さで、前記運搬車５を取り出すとき、前記運搬車本体６における前記滅菌槽１の外側に位置する部分を支持するローラ２３を備えたことを特徴とする滅菌装置における運搬車収容装置。
【発明の詳細な説明】
【０００１】
【発明の属する技術分野】
この発明は、車輪部分を折り畳み、かつ運搬車本体を支持した状態で、運搬車を収容庫内へ収容する運搬車収容装置に関するものである。
【０００２】
【従来の技術】
病院などにおいて、医療器具，手術衣，患者用衣服などの被滅菌物を滅菌する場合、被滅菌物を運搬車に積載し、この運搬車ごと被滅菌物を前記滅菌装置の滅菌槽内へ収容して滅菌作業を行っている。ところで、前記滅菌装置においては、前記滅菌槽内の底面が、前記滅菌装置を設置した部屋の床面に比べて高くなっている場合がある。この場合には、前記運搬車を前記滅菌槽内へ収容する作業や、前記滅菌槽から取り出す作業が面倒なものとなる。この問題を解消するための運搬車収容装置としては、たとえば実公昭５５−５４０２号公報に開示されている。
【０００３】
前記公報に開示されている運搬車収容装置は、前記運搬車の車輪部分を折畳み式の構造とし、前記滅菌槽内の左右両側壁のそれぞれに複数個の支持ローラを水平に配列した構造となっている。そして、前記運搬車を前記滅菌槽内へ収容するとき、前記運搬車本体を前記各支持ローラによって支持させるとともに、前記各車輪部分を折り畳むようにしている。また、前記運搬車を前記滅菌槽内から取り出すとき、前記運搬車本体を前記各支持ローラによって支持させた状態で、前記各車輪部分を折り畳んだ位置（以下、「折畳み位置」と云う）から前記運搬車の重量を支えられる位置（以下、「作動位置」と云う）へ移動させ、この作動位置を保持するようにしている。
【０００４】
ところで、前記運搬車収容装置において、前記運搬車を前記滅菌槽内から取り出すとき、前記運搬車が傾いて前記運搬車本体と前記床面との間の高さが不足すると、前記各車輪部分は、前記作動位置へ移動することができず、前記折畳み位置へ戻ってしまう。すると、前記運搬車がさらに傾き、場合によっては前記運搬車が転倒するため、前記被滅菌物が落下して損傷したり、作業者が負傷したりすることがあった。
【０００５】
【発明が解決しようとする課題】
この発明が解決しようとする課題は、折畳み式の車輪部分を備えた運搬車を収容庫から取り出す際、前記運搬車の転倒を防止することである。
【０００６】
【課題を解決するための手段】
この発明は、前記課題を解決するためになされたもので、請求項１に記載の発明は、滅菌槽と、被滅菌物を載せる運搬車本体と、車輪として機能する作動位置と前記滅菌槽内へ収容するときの折畳み位置との間で折畳み可能に構成され前記運搬車本体の下面に前後に設けられる車輪部分とを有する運搬車と、前記各車輪部分を前記作動位置に保持するための保持手段と、前記運搬車を前記滅菌槽内へ収容するとき、前記各車輪部分を前記作動位置に保持した状態を解除する保持状態解除手段と、前記滅菌槽内の両側壁に設けられ、前記運搬車本体を前記滅菌槽内で支持する支持手段とを備え、前記運搬車を前記滅菌槽内へ収容するとき前記保持状態解除手段により前記保持手段による保持を解除して前記車輪部分を前記折畳み位置へ移動させ、前記運搬車を前記滅菌槽から取り出すとき、前記車輪部分を前記作動位置へ移動させるように構成した滅菌装置における運搬車収容装置であって、前記滅菌槽の開口部の外側に前記運搬車本体を支持する支持部材を設け、前記支持部材には、高さ位置が前記支持手段とほぼ同じ高さで、前記運搬車を取り出すとき、前記運搬車本体における前記滅菌槽の外側に位置する部分を支持するローラを備えたことを特徴としている。
【００１０】
【発明の実施の形態】
つぎに、この発明の実施の形態について説明する。この発明は、車輪部分を折り畳み、かつ運搬車本体を支持した状態で、運搬車を収容庫内へ収容する運搬車収容装置において実施することができる。すなわち、この発明は、前記収容庫内の底面が、前記収容庫を設置した部屋の床面に比べて高くなっている場合の運搬車収容装置において実施することができる。ここにおいて、前記収容庫としては、滅菌装置の滅菌槽，真空冷却装置の冷却槽などのような処理装置における処理容器があり、また冷蔵庫などのような保管庫がある。さらに、前記収容庫としては、前記収容庫の正面に前記運搬車の出し入れのための開口部を設けた片扉式の収容庫や、前記収容庫の正面および背面のそれぞれに開口部を設けた両扉式の収容庫がある。この発明に係る運搬車収容装置は、片扉式および両扉式のいずれの収容庫にも適用することができるが、以下では、片扉式の収容庫における運搬車収容装置を例に挙げて説明する。
【００１１】
まず、前記運搬車収容装置の基本構成について説明する。まず、前記運搬車は、運搬車本体と折畳み式の車輪部分とを備えている。この車輪部分は、たとえば前記運搬車本体の下面における前後左右の４箇所に設けられている。前記各車輪部分は、車輪として機能する作動位置と前記運搬車を前記収容庫内へ収容するときの折畳み位置との間で折畳み可能に構成されている。また、前記各車輪部分は、前記各車輪部分を前記作動位置に保持するための手段を備えている。これらの各保持手段は、前記運搬車を前記収容庫内へ収容するとき、前記各車輪部分を前記作動位置に保持した状態を解除する機能も備えている。一方、前記収容庫内の両側壁には、前記運搬車本体の支持手段が設けられている。この支持手段は、前記床面上での前記運搬車本体の高さ位置のまま、前記運搬車本体を前記収容庫内で支持するための手段である。前記支持手段としては、前記運搬車の収容時および取出し時の便宜のために、ローラなどを用いることができる。
【００１２】
そして、前記運搬車収容装置において、前記運搬車を前記収容庫内へ収容するときは、前記運搬車本体を前記支持手段によって支持させながら、前記各車輪部分を前記折畳み位置へ移動させる。また、前記運搬車を前記収容庫内から取り出すときは、前記各車輪部分を前記作動位置に移動させる。
【００１３】
さて、この発明の運搬車収容装置は、前記運搬車を取り出すとき、前記運搬車の傾きを防止する手段を設けたものである。すなわち、前記収容庫および前記運搬車のいずれか一方または両方に傾き防止手段を設けた構成である。
【００１４】
まず、前記傾き防止手段の第一および第二の実施形態について説明する。この第一および第二の実施形態は、前記収容庫に傾き防止手段を設ける場合の実施形態である。まず、第一の実施形態における傾き防止手段は、前記運搬車本体を支持する支持体を前記収容庫の開口部外側に設けた構成である。すなわち、前記支持体は、前記支持手段とほぼ同じ高さに前記運搬車本体を支持することで、前記運搬車の傾きを防止する手段である。したがって、前記支持体の高さ位置は、前記支持手段とほぼ同じ高さとする。また、前記支持体の前記開口部からの位置は、前記運搬車を取り出すとき、前記運搬車が前記支持体と前記支持手段によって支持された状態となるまで、前記運搬車が傾かない位置である。そして、前記支持体は、前記運搬車の収容時および取出し時の便宜のため、前記支持手段と同様、ローラとするのが好ましい。以上の構成により、前記収容庫から前記運搬車を取り出すとき、前記運搬車本体における前記収容庫の外側に位置する部分を前記支持体によって支持することにより、前記運搬車が傾くのを防止し、前記各車輪部分を前記作動位置へ移動させることができる。
【００１５】
つぎに、第二の実施形態における傾き防止手段は、前記運搬車本体と係合する係合部材を前記収容庫内に設けた構成である。前記係合部材は、前記収容庫内の左右両側面から前記収容庫の中央へ突出する案内部材によって構成されている。この案内部材は、前記運搬車本体と直接または前記運搬車本体に設けた係合片を介して間接的に係合するようになっている。以上の構成により、前記収容庫内から前記運搬車を取り出すとき、前記案内部材と前記運搬車本体とが係合することによって、前記運搬車が傾くのを防止し、前記各車輪部分を前記作動位置へ移動させることができる。
【００１６】
つぎに、前記傾き防止手段の第三の実施形態について説明する。この第三の実施形態は、前記運搬車に前記傾き防止手段を設ける場合の実施形態である。この第三の実施形態における傾き防止手段は、前記運搬車を取り出す際に前記運搬車が傾いた場合、前記各車輪部分が前記折畳み位置へ移動するのを防止する手段（以下、「移動防止手段」と云う）を設けた構成である。この移動防止手段は、前記作動位置と前記折畳み位置との間の傾斜防止位置に前記各車輪部分を保持するように構成する。また、前記移動防止手段は、前記作動位置になるべく近い位置で作動するように構成し、前記運搬車の傾きが大きくならないようにする。
【００１７】
前記移動防止手段について、さらに具体的に説明すると、前記移動防止手段は、前記各車輪部分を前記作動位置に保持するための手段（以下、「保持手段」と云う）を利用して構成することができる。すなわち、この保持手段において、前記作動位置と前記折畳み位置との間に前記傾斜防止位置を設け、前記傾斜防止位置に前記各車輪部分を保持することができるように構成する。前記移動防止手段によると、前記運搬車が傾いて、前記車輪部分が前記折畳み位置へ移動しようとしても、前記各車輪部分が前記傾斜防止位置に保持される。そのため、前記運搬車の傾きが大きくなるのを防止し、前記運搬車が転倒するのを防止することができる。
【００１８】
さらに、この発明の運搬車収容装置は、前記各実施形態をそれぞれ単独で実施することができるし、また前記各実施形態のうちの２つを適宜組み合わせて実施することもできるし、さらに前記各実施形態の傾き防止手段を組み合わせて実施することもできる。
【００１９】
【実施例】
以下、この発明の具体的実施例を図面に基づいて詳細に説明する。図１は、この発明の一実施例を概略的に示す説明図であり、図２は、図１に示す収容庫の左側面の要部の詳細説明図である。また、図３は、図１に示す運搬車の右側面の要部の詳細説明図であり、図４は、図３のIV−IV線に沿う断面の説明図であり、図５は、図３のV−V線に沿う断面の説明図であり、図６は、図３のVI−VI線に沿う断面の説明図であり、図７は、図５に示す車輪部分の折畳み状態を示す動作説明図であり、図８は、図５に示す車輪部分の移動防止状態を示す動作説明図である。さらに、図９〜図１１は、それぞれこの発明の実施例の動作説明図である。ここで、この実施例の収容庫は、滅菌装置の滅菌槽である。
【００２０】
まず、運搬車収容装置を実施する滅菌槽および運搬車について、図面を参照しながら説明する。まず、滅菌槽１は、開口部２およびこの開口部２を閉鎖する扉（図示省略）を備えている。また、前記滅菌槽１内部の底面３は、前記滅菌槽１を設置した床面４よりも高くなっている。つぎに、前記滅菌槽１へ収容する運搬車５は、金属管から構成される運搬車本体６と、この運搬車本体６の下面に設けられた４個の車輪部分７，７,…とで構成されている。前記運搬車本体６には、棚板（符号省略）が所定段数設けられている。前記各車輪部分７は、左右２個で１組とされ、各組は、前記運搬車本体６の前側（図１の右側）と後側（図１の左側）のそれぞれに固定された基盤部材８，８を介して、前記運搬車本体６にそれぞれ取り付けられている。
【００２１】
つぎに、前記運搬車収容装置の構成について説明する。まず、前記滅菌槽１において、前記滅菌槽１内の両側壁には、図１および図２に示すように、前記運搬車本体６の支持手段としての第一支持ローラ９，９，…が６個ずつ計１２個設けられている。これらの各第一支持ローラ９は、前記滅菌槽１内において水平に配列されている。
【００２２】
つぎに、前記運搬車５において、前記各車輪部分７は、折畳み可能に構成されている。すなわち、前記各車輪部分７は、前記運搬車５を前記床面４上で移動させるときの作動位置と、前記滅菌槽１内へ収容するときの折畳み位置との間を移動可能に構成されている。また、前記各車輪部分７は、前記運搬車５を前記床面４上で移動させるとき、前記各車輪部分７を前記作動位置に保持するため手段（以下、「保持手段」と云う）１０，１０をそれぞれ備えている。
【００２３】
つぎに、前記各車輪部分７の構成についてさらに詳細に説明する。ここで、前記各車輪部分７において、前記運搬車本体６の前側と後側のそれぞれに取り付けられた各組の車輪部分７，７は、ともに同じ構造であるので、以下では、前側の組の車輪部分７，７について、図３〜図８を参照しながら説明する。
【００２４】
さて、前記各車輪部分７は、固定部１１,１１および可動部１２,１２をそれぞれ備えている。前記各固定部１１の上端は、前記運搬車本体６の前側に設けた前記基盤部材８にそれぞれ固定されている。前記各固定部１１の下端には、前記各可動部１２の上端が回転軸１３，１３を介してそれぞれ連結されている。したがって、前記各可動部１２は、前記各回転軸１３を中心に上下方向にそれぞれ揺動自在となっている。また、前記各可動部１２の下端には、車輪１４，１４がそれぞれ設けられている。さらに、前記各可動部１２は、第一軸部材１５によって互いに連結されている。ここで、前記第一軸部材１５は、前記各可動部１２に対しては固定せず、回転可能としてある。
【００２５】
つぎに、前記各車輪部分７における前記保持手段１０について、図３〜図８を参照しながら詳細に説明する。前記保持手段１０は、前記各固定部１１の前側にそれぞれ設けられた係止ピン１６，１６と、前記各可動部１２にそれぞれ設けられ、前記各係止ピン１６とそれぞれ係合する係止爪部材１７，１７とで構成されている。前記各係止爪部材１７は、それぞれの一端側（図５の左側）でもって、前記第一軸部材１５にそれぞれ固定されている。したがって、前記各係止爪部材１７は、前記第一軸部材１５を中心に上下方向にそれぞれ揺動自在となっている。また、前記各係止爪部材１７の下面には、前記各係止ピン１６との係合により、前記各可動部１２を前記作動位置に保持するための第一溝部１８，１８がそれぞれ形成されている。ここで、前記各係止爪部材１７は、それぞれの先端部同士が第二軸部材１９によって互いに連結されている。
【００２６】
また、前記保持手段１０には、前記運搬車５を前記滅菌槽１内へ収容するとき、前記各可動部１２が前記作動位置に保持された状態を解除するための手段が設けられている。この保持状態解除手段（符号省略）は、前記各車輪部分７間に配置された三角形状の揺動板２０と、前記底面３における前記開口部２側に設けられた衝合片２１とで構成されている。
【００２７】
まず、前記揺動板２０は、前記第一軸部材１５および前記第二軸部材１９を貫通させ，かつ前記各軸部材１５，１６に固定した状態で、前記各車輪部分７間に配置されている。したがって、前記揺動板２０は、前記各係止爪部材１７とともに前記第一軸部材１５を中心に揺動可能となっている。また、前記揺動板２０の下方側の角部には、ローラ２２が設けられている。このローラ２２は、前記運搬車５を前記滅菌槽１内へ収容する際、前記衝合片２１と当接するように構成されている。そのため、前記衝合片２１は、前記ローラ２２との当接を円滑に行うことができるように、前後の両縁を傾斜させた断面山形形状となっている。以上の構成により、前記運搬車５を前記滅菌槽１内へ収容するとき、前記ローラ２２が前記衝合片２１との当接によって押し上げられると、前記揺動板２０が前記第一軸部材１５を中心に上方へ揺動し、この揺動により前記各係止爪部材１７が上方へそれぞれ揺動することとなる。したがって、前記揺動板２０の揺動により、前記各係止ピン１６と前記各第一溝部１８との係合状態をそれぞれ解除することができる。
【００２８】
ここで、前記各車輪部分７においては、前記各可動部１２と前記第二軸部材１９との間にバネ(図示省略)を設けて、前記各可動部１２を前記作動位置へ向けて付勢してある。また、前記基盤部材８と前記第二軸部材１９との間にも、バネ(図示省略)を設け、前記第一軸部材１５を反時計方向へ付勢することにより、前記各係止爪部材１７を前記係止ピン１６へ向けて付勢している。
【００２９】
さて、つぎに、前記運搬車収容装置における前記運搬車５の傾き防止をするための構成について説明する。まず、前記滅菌槽１において、図１および図２に示すように、前記滅菌槽１の外側には、前記開口部２の両側に位置し、前記運搬車本体６を支持する支持体としての第二支持ローラ２３，２３が設けられている。これらの第二支持ローラ２３は、それぞれ前記第一支持ローラ９と同様の構成のローラである。前記各第二支持ローラ２３は、前記床面４に配置された支柱部材２４，２４を介して所定位置にそれぞれ保持されている。ここで、前記各第二支持ローラ２３の取付位置について説明すると、まず高さ位置は、前記各第一支持ローラ９と同じ高さである。つぎに、前記開口部２からの位置は、前記運搬車５を取り出すとき、前記運搬車本体６が前記各第一支持ローラ９および前記各第二支持ローラ２３によって支持された状態となるまで、前記運搬車５が傾かない位置である。また、前記開口部２からの位置は、前記各可動部１２が前記作動位置へ移動することができるように、前記開口部２から所定距離離れた位置である。
【００３０】
つぎに、前記滅菌槽１内の両側面には、図１および図２に示すように、前記運搬車本体６と係合する係合部材２５，２５が前記滅菌槽１の前後方向（図１の左右方向）に沿って設けられている。これらの各係合部材２５は、断面逆Ｌ字形をなしており、前記滅菌槽１内の両側面のそれぞれから前記滅菌槽１の中央に向けて突出させてある。前記各係合部材２５と係合する係合片２６，２６は、前記運搬車本体６における前側の下部両側にそれぞれ設けられている。
【００３１】
さらに、前記運搬車５において、前記各係止爪部材１７には、図５に示すように、前記各第一溝部１８に隣接させて、第二溝部２７,２７がそれぞれ形成されている。これらの各第二溝部２７は、図８に示すように、前記各係止ピン１６とそれぞれ係合することにより、前記各可動部１２を前記作動位置（図５参照）と前記折畳み位置（図７参照）との間の傾斜防止位置にそれぞれ保持するようになっている。
【００３２】
さて、つぎに前記運搬車収容装置の動作について説明する。ここで、前記運搬車収容装置の動作を説明する図９〜図１１においては、前記各棚板の図示を省略している。まず、前記運搬車５を前記床面４上で移動させるとき、前記各車輪部分７は、図１に実線で示すように、前記作動位置にそれぞれ保持されている。すなわち、この状態においては、図５に示すように、前記各第一溝部１８と前記各係止ピン１６とがそれぞれ係合することにより、前記各可動部１２が前記作動位置にそれぞれ保持されている。
【００３３】
そして、前記運搬車５に所定の被滅菌物（図示省略）を積載した後、前記運搬車５を前記滅菌槽１内へ収容する。この収容の際には、まず前記運搬車本体６の前側（図１の右側）の部分が、前記各第一支持ローラ９によって順次支持される。ここにおいて、前記運搬車５を前記滅菌槽１内へ移動させると、まず前記運搬車５の前側（図１の右側）の各車輪部分７における前記ローラ２２が前記衝合片２１との当接によって押し上げられ、前記各係止爪部材１７と前記各係止ピン１６との係合状態がそれぞれ解除される。この後、前記運搬車５を前記滅菌槽１内へさらに移動させると、前側の各車輪部分７における前記各可動部１２と前記開口部２の下縁との当接により、前記各可動部１２が前記折畳み位置へそれぞれ移動する（図７に示す状態）。そして、前記運搬車５を前記滅菌槽１内へさらに移動させると、前記運搬車５の後側（図１の左側）の各車輪部分７についても、前記前側の各車輪部分７と同様、前記各可動部１２が前記折畳み位置へそれぞれ移動する。
【００３４】
そして、前記運搬車５が前記滅菌槽１内に収容された状態においては、前記運搬車５は、前記滅菌槽１内において前記各第一支持ローラ９によって支持された状態となっている。そして、この状態で前記開口部２を閉じ、滅菌作業を行う。
【００３５】
つぎに、滅菌作業の終了後、前記滅菌槽１内から前記運搬車５を取り出す場合について説明する。まず、前記開口部２を開き、前記滅菌槽１内から前記運搬車５を移動させる。すると、図９に示すように、まず前記運搬車本体６の後側（図９の左側）の部分が、前記各第二支持ローラ２３上に支持された状態となる。そのため、前記各第二支持ローラ２３によって、前記運搬車５が傾くのを防止することができる。したがって、前記各第二支持ローラ２３によって前記運搬車本体６が支持されている間に、後側の前記各車輪部分７における前記各可動部１２は、前記作動位置へそれぞれ移動し、前記保持手段１０によって前記作動位置にそれぞれ保持されることとなる。
【００３６】
そして、前記滅菌槽１内から前記運搬車５をさらに移動させると、図１０に示すように、前記運搬車本体６の後側（図１０の左側）の部分が後側の前記各車輪部分７によって支持された状態となる。このとき、前記運搬車本体６の前側（図１０の右側）の部分は、前記各第二支持ローラ２３によって支持された状態となっている。したがって、この状態においても、前記各第二支持ローラ２３によって前記運搬車５が傾くのを防止することができるため、前側の前記各車輪部分７における前記各可動部１２は、前記記作動位置へそれぞれ移動し、前記保持手段１０によって前記作動位置にそれぞれ保持されることとなる。
【００３７】
ここで、図１０に示す状態においては、前記各係合部材２５と前記各係合片２６とがそれぞれ係合することによって、前記運搬車本体６の前側の部分が持ち上がるのを防止している。したがって、図１０に示す状態においては、前記各第二支持ローラ２３による前記運搬車本体６の支持および前記各係合部材２５と前記各係合片２６との係合により、前記運搬車５が傾くのが確実に防止されることとなる。そのため、後側の前記各車輪部分７における前記各可動部１２を前記作動位置へそれぞれ移動させ、前記作動位置にそれぞれ保持することができる。
【００３８】
以上のように、前記運搬車５を取り出す際、前記各第二支持ローラ２３および前記各係合部材２５によって、前記運搬車５が傾くのを確実に防止することで、前記各可動部１２を前記作動位置へ移動させることができる。
【００３９】
つぎに、前記各第二支持ローラ２３および前記各係合部材２５によって、前記運搬車５が傾くのを防止することができたにも拘わらず、前記各可動部１２が前記作動位置へ移動しなかった場合について説明する。以下の説明では、前記運搬車本体６の前側（図１０の右側）の前記各車輪部分７における前記各可動部１２が前記作動位置へ移動しなかった場合を例に挙げて説明する。この場合には、前記各第二溝部２７と前記各係止ピン１６とが係合し、前記各可動部１２が前記傾斜防止位置にそれぞれ保持される（図８参照）ので、前記各可動部１２が前記折畳み位置へそれぞれ移動するのを防止することができる。ここにおいて、前記各可動部１２が前記傾斜防止位置にそれぞれ保持された状態においては、図１１に示すように、前記運搬車５は若干傾いた状態となるが、前記運搬車５が転倒するのを防止することができる。
【００４０】
【発明の効果】
この発明によれば、車輪折畳み式の運搬車を滅菌槽から取り出す際、運搬車が傾くのを防止し、車輪部分を作動位置へ移動させることができる。
【図面の簡単な説明】
【図１】この発明の一実施例を概略的に示す説明図である。
【図２】図１に示す収容庫の左側面の要部の詳細説明図である。
【図３】図１に示す運搬車の右側面の要部の詳細説明図である。
【図４】図３のIV−IV線に沿う断面の説明図である。
【図５】図３のV−V線に沿う断面の説明図である。
【図６】図３のVI−VI線に沿う断面の説明図である。
【図７】図５に示す車輪部分の折畳み状態を示す動作説明図である。
【図８】図５に示す車輪部分の移動防止状態を示す動作説明図である。
【図９】この発明の実施例の動作説明図である。
【図１０】この発明の実施例の動作説明図である。
【図１１】この発明の実施例の動作説明図である。
【符号の説明】
１  滅菌槽（収容庫）
５  運搬車
６  運搬車本体
７  車輪部分
２３  第二支持ローラ（支持体）
２５  係合部材
【図１】
0003818090.tif 000002
【図２】
0003818090.tif 000003
【図３】
0003818090.tif 000004
【図４】
0003818090.tif 000005
【図５】
0003818090.tif 000006
【図６】
0003818090.tif 000007
【図７】
0003818090.tif 000008
【図８】
0003818090.tif 000009
【図９】
0003818090.tif 000010
【図１０】
0003818090.tif 000011
【図１１】
0003818090.tif 000012